(57)【要約】【課題】着座者の動きに追従して左右にスイング可能な椅子を、使い易くて汎用性が高い態様で提供する。【解決手段】椅子は座１と脚２とを備えており、脚２は、下部枠体４と支柱５とを備えている。下部枠体４の前部材４ａを下向き凸に屈曲させることにより、椅子全体として左右にスイングすることが許容されている。座１の上面１ａは、着座者の身体（臀部と大腿部）の丸みにフィットするように凹ませている。このため、スイングさせず作業などを行うにおいて、安定性が高くて使いやすいというイメージを形成できて、スカートを着用した女性も違和感なく使用できる。着座者の臀部及び大腿部が座１で包まれた状態になるため、スイングに際しては滑り現象を防止できる。【選択図】図１
2018187313.tif 000002
【特許請求の範囲】
【請求項１】
座とこれを支持する脚とを備えており、前記脚の下端面を、左右中間部に頂点が位置した正面視下向き凸状に形成することにより、前記座と脚とが一体になって左右にスイングできる構成であって、
前記座の上面を、着座者の身体を下方から包むように凹ませている、
椅子。
【請求項２】
前記脚は、床に直接に又はベース体を介して載る上下開口の下部枠体と、前記下部枠体から立ち上がった支柱とを有しており、前記支柱の下端は前記下部枠体の前端部に繋がっている一方、前記支柱の上端は、前記座の前端と後端との間の部位に位置しており、このため、前記支柱は側面視で後傾姿勢になっている、
請求項１に記載した椅子。
【請求項３】
前記脚の下部枠体は前後の接地部を有しており、前接地部は正面視下向き凸のく字形に形成されて、後ろ接地部は略水平状であるか又は下向き凸状に緩く曲がっており、左右スイングに際しては、座は、左右外側に向けてスイングするほど手前に移動する動きをするようになっている、
請求項１又は２に記載した椅子。
【発明の詳細な説明】
【技術分野】
【０００１】
本願発明は、着座者が上半身を左右に動かす（揺する）ことに追従して左右にスイング可能な椅子に関するものである。
【背景技術】
【０００２】
椅子は一般に床上に安定して載るようになっているが、本願発明者の一人である机宏典は、脚の下面を正面視で下向き凸状に形成することにより、着座者の左右動に追従して左右にスイングする椅子を提案した（非特許文献１。図７参照）。非特許文献１の椅子は、椅子を一種の運動具として使用可能であり、身体を動きやすくするために、座の上面は正面視で上向き凸状に丸みを持たせている。
【０００３】
非特許文献１は、着座者が静止した状態でも使用可能であり、敢えて安定性を悪くしていることにより、着座者は姿勢を正していないと左又は右に傾いてしまうため、身体が傾かないように姿勢を正す習慣を自然に身に付けることができる。
【先行技術文献】
【非特許文献】
【０００４】
【非特許文献１】ＵＲＬ：http://www.tsukue.se/TSUKUE.SE/Swingy.html
【発明の概要】
【発明が解決しようとする課題】
【０００５】
さて、近年、オフィスではワーカーの健康維持や知的生産性向上に貢献できる環境に関心が高まっており、オフィス家具についてもこれらの観点から工夫が成されている。そして、椅子はオフィスにおいてワーカーが身体を預ける最も身近な家具であり、椅子が運動具機能を持っていると、ワーカーはその場で軽い運動を行って気分転換したり血行を促進させたりすることができるため、ワーカーにとって朗報であるといえる。この点、非特許文献１の椅子は、運動具として使用できつつ、身体を安定した姿勢に保持することもできるため、オフィス用としての使用が期待されると云える。
【０００６】
そこで更に、検討するに、非特許文献１のように座の上面が上向き凸に湾曲していると、臀部及び大腿部は正面視で下向き凸状に緩く湾曲しているため、座に対する身体のフィット性が悪くなって、身体を正しい姿勢に保持するためには、いわば両足を床に踏ん張っておかねばならず、このため、作業・執務などに長時間使用する場合、使用者に足腰の疲れや凝りを誘発するかのような誤解を受けることが懸念される。
【０００７】
また、座の上面が上向きに湾曲していると、安定的でないというイメージが先行してしまう恐れがあり、例えば、オフィス用椅子や接客用椅子としての使用が敬遠されやすくなるなど、使用範囲が狭まるおそれもある。特に、スカートを着用した女性の使用が予定される場合は、その傾向が強くなると推測される。
【０００８】
本願発明は、このような現状を改善すべく成されたものであり、非特許文献１の椅子の汎用性を高めるべく、使いやすく、見た目においても安心感を与える態様にして提供せんとするものである。
【課題を解決するための手段】
【０００９】
請求項１の発明は、座とこれを支持する脚とを備えており、前記脚の下端面（接地面）を、左右中間部に頂点が位置した正面視下向き凸状に形成することにより、前記座と脚と
が一体になって左右にスイングできる構成であって、前記座の上面を、着座者の身体を下方から包むように凹ませている。
【００１０】
請求項２の発明は、請求項１において、前記脚は、床に直接に又はベース体を介して載る上下開口の下部枠体と、前記下部枠体から立ち上がった支柱とを有しており、前記支柱の下端は前記下部枠体の前端部に繋がっている一方、前記支柱の上端は、前記座の前端と後端との間の部位に位置しており、このため、前記支柱は側面視で後傾姿勢になっている。
【００１１】
請求項３の発明は、請求項１又は２において、前記脚の下部枠体は前後の接地部を有しており、前接地部は正面視下向き凸のく字形に形成されて、後ろ接地部は略水平状であるか又は下向き凸状に緩く曲がっており、左右スイングに際しては、座は、左右外側に向けてスイングするほど手前に移動する動きをするようになっている。
【００１２】
この場合、後ろ接地部が下向き凸状に緩く曲がっている態様としては、全体的に湾曲している状態や、前接地部よりも大きな角度でく字形に曲がっている状態、全体として台形状に曲がっている態様（角には丸みをつけるのが好ましい）状態、或いは、全体として湾曲しつつ左右中間部がある程度の範囲で水平状になっている態様など、様々な態様がある。
【発明の効果】
【００１３】
本願発明のように、座の上面が、着座者の臀部及び大腿部がフィットするように（下方から包み込むように）凹んでいると、座と身体との一体性が高くなるため、姿勢を正すにおいて、力を抜いた状態であっても正しい姿勢に保持でき、頭部が揺れず目線を一定に保てるため使いやすい。このため、集中して作業等する場合にも長時間使用することがきる。
【００１４】
また、見た目において座りやすいイメージがあり、スカートを着用した女性にとっても違和感なく使用できる。これらにより、スイング可能な椅子でありながら、店舗での接客用や学校用、或いはオフィスでの作業用などに幅広く使用可能で、汎用性を拡大できる。
【００１５】
また、着座者が身体を左右に移動させてスイングさせる場合、身体と座との一体性が高まっているため、身体の動きを速くしても、身体が座から滑り落ちたり座から振り落とされたりする傾向が生じることはなくて、安心してスイング運動を行える。従って、運動用として使用するにしても作業用・執務用として使用するにしても、使いやすい。
【００１６】
請求項２のように構成すると、支柱による座の支持位置が座の前後中途部に位置するため、座の後端に作用するモーメントを低減させて、支持強度を向上できる。また、掃除などのために椅子を裏返して机上面に載せることがあるが、請求項２の構成を採用すると、椅子は、ひっくり返すことなく、単に持ち上げて座を机天板に載せて吊掛けたり、前後逆の姿勢にして座を机天板に載せて吊り掛けたりすることができる。従って、片づけがしやすい。
【００１７】
請求項３の構成を採用すると、スイングするに際して、脚の前端部が後端部より大きく下降動するため、身体は、左右外側に移動しつつ前にも移動する。このため、使用者は、振り飛ばされそうになったらすぐに床に足をついたり、床に足を踏ん張ったりすることができる。このため、高い安定性（座と身体との一体性）を確保しつつ、ダイナミックなスイングを行える。また、スイングの途中での後ろ接地部の上下変位量が少ないことから、前接地部が回動しきる前に先に後ろ接地部が回動しきるため、前接地部の動きに対してブレーキをかけるような作用があり、その結果、ガタンガタンといった動きをなくしてスムースな動きを実現できる利点もある。
【００１８】
請求項３において、後ろ接地部を平面視（或いは底面視）でＵ形に形成して、下部枠体の後ろのコーナー部全体まで後ろ接地部が広がる態様にしつつ、後ろ接地部を、左右中間部から左右端に向けて床からの高さが高くなるように形成すると、後ろ接地部の接地範囲を長くできるため、スイングをスムース化できる。
【００１９】
特に、後ろ接地部を、背面視では下向き凸状に緩く湾曲させて（下向きに反らせて）、側面視では下向き凹状に緩く湾曲させると、後ろ接地部の最大上下変位量を前接地部の最大変位量に近づけつつ、スイングに際しての床に対する接地点を滑らかに移動させることができるため、スイングの動きをごく滑らかに行える利点である。
【００２０】
更に、請求項３の発明は、非スイング状態での椅子の安定性向上に貢献できるため、オフィス用として好適である。特に、後ろ接地部に多少なりとも水平状部を形成すると、非スイング状態での椅子の安定性を一層向上できる。
【図面の簡単な説明】
【００２１】
【図１】第１実施形態を示す図で、（Ａ）は斜視図、（Ｂ）は分離斜視図、（Ｃ）は側面図である。
【図２】第１実施形態を示す図で、（Ａ）は正面図、（Ｂ）は裏返した状態での斜視図、（Ｃ）は後ろから見た平面図である。
【図３】図１（Ａ）のIII-III 視断面図である。
【図４】第２実施形態を示す図で、（Ａ）は横から見た斜視図、（Ｂ）は裏返した状態での斜視図である。
【図５】（Ａ）は第１実施形態の部分背面図、（Ｂ）は第１実施形態の側面図、（Ｃ）は第３実施形態の部分背面図、（Ｄ）は第３実施形態の側面図である。
【図６】（Ａ）は第４実施形態の斜視図、（Ｂ）は別例を（Ａ）のＢ−Ｂ視断面図から見た断面図である。
【図７】非特許文献１の椅子の斜視図である。
【発明を実施するための形態】
【００２２】
(1).第１実施形態
次に、本願発明の実施形態を図面に基づいて説明する。まず、図１〜図３に示す第１実施形態を説明する。なお、以下では、方向を特定するため前後・左右の文言を使用するが、この前後・左右は、普通に着座した人の向きを基準にしている。正面視方向は、着座者と対向した方向である。
【００２３】
本実施形態において、椅子は、座１とこれを支持する脚２とを備えている。座１は木製又は樹脂製であり、平面視で四隅に丸みをつけた略四角形になっている。そして、座１は、正面視では上向き凹となるように下向きに緩く湾曲して（凹ませて）、縦断側面視では、後端が上向きに緩く湾曲する形態になっている。すなわち、座１の上面１ａは、着座者の臀部と大腿部との曲面にフィットする凹面になっている。また、全体的に、前傾気味になっている（水平姿勢であってもよいし、後傾姿勢であってもよい。）。
【００２４】
座１の後端部でかつ左右中間部に、後ろ向きに開口した長溝穴３を切り開き形成している。長溝穴３は、指を差し入れて持ち上げる手掛け機能を有するが、デザイン的な側面も持っており、無くてもよい。実施形態の座１は座板を露出させた単一構造になっているが、座板の上にクッションを張った態様も採用可能である。或いは、上下に開口したフレーム（又は平面視前向きコ字形のフレーム）に、織地や編地等のメッシュ材を張った構成も採用可能である。メッシュタイプの場合は、メッシュ材は着座者の体圧で延び変形するので、着座前にフラットな形態であっても、使用状態では下向きに凹んだ形態になる。従って、本願発明に含まれる。また、椅子には、背もたれ又は腰当てを設けることも可能である。
【００２５】
脚２は金属のパイプ又は棒材を使用して作られており、床に載る下部枠体４と、下部枠体４における前端部の左右両端から立ち上がった左右の支柱５と、支柱５の上端に設けた上部枠体６とを備えており、上部枠体６にブラケット７を固定し、ブラケット７に座１を固定している。支柱５の下端は平面視で座１の前端部の箇所に位置しているが、支柱５の上端は、座１の前端よりも少し後ろ（座１の前後中間位置よりも手前）に位置している。従って、支柱５は緩い角度で後傾している。
【００２６】
下部枠体４は、平面視で前向き開口略Ｕ形の部材に左右横長の前部材４ａを溶接で固着した構造であり、前部材４ａと後端部の前部材４ａの左右両端に支柱５を曲げ形成しており、上部枠体６は、支柱５の状態を後ろ向きに曲げてから更に内側に曲げることによって形成されている。従って、上部枠体６も、全体として、平面視前向き開口Ｕ形になっている。本実施形態では、前部材４ａが前接地部になっている。
【００２７】
また、図２（Ｃ）に明示するように、下部枠体４を構成する前部材４ａの左右両端部は、座１の左右外側にはみ出している。このため、スイングに際しても高い安定性を確保できるし、複数の椅子を上下にスタッキングすることができる。すなわち、上段の椅子の下部枠体４を下段の椅子の左右支柱５の間から後ろに嵌め入れて、椅子を上下に積み重ねることができる。従って、不使用時の保管に有利である。下部枠体４を、後ろに向けて左右幅が徐々に小さくなるように形成しておく、スタッキング作業を行いやすい。
【００２８】
ブラケット７は、平面視で後ろ向きに開口したＵ形の枠体７ａと、枠体７ａから内向き突設したリップ７ｂとから成っており、枠体７ａは上部枠体６に溶接によって固着されて、リップ７ｂが、これに下方から挿通したビスによって座１に固定されている。ブラケット７を設けると、上部枠体６を座１の外側に配置しつつ、座１をしっかりと固定できる。また、ブラケット７は支柱５の上端よりも手前に張り出しているため、支柱５を後傾させた状態でも、座１を脚２に強固か，安定的に固定できる。
【００２９】
更に、ブラケット７によって上部枠体６の左右メンバーが連結されるため、上部枠体６の（或いは脚２）の剛性が格段に向上し、延いては、椅子の剛性も向上できる（椅子はスイングするため、動荷重に耐え得る高い剛性が必要である。）。上部枠体６は概ね座１の外側に露出しているが、全体が座１の下方に隠れる態様であってもよい。上部枠体６が座１の下方に隠れる場合は、ブラケット７を使用せずに、座１を直接上部枠体６に固定することも可能である（この場合は、上部枠体６の左右メンバーを左右横長のステーで連結するのが好ましい。）。
【００３０】
下部枠体４の前部材４ａは正面視で下向き凸のく字形に曲がっており、左右中間部が頂点になっている。他方、下部枠体４のうち後ろ接地部を構成する後端部４ｂは、左右のコーナー部を含む平面視Ｕ形の形態であり、平面視では後ろに向けて緩く湾曲し、正面視（及び背面視）では、図５（Ａ）に明瞭に示すように、前部材４ａの曲がり角度よりも大きな角度で曲がった状態に下向き凸状に緩く湾曲している。つまり、後端部４ｂは、下向き凸状に緩く湾曲しつつ、その左右両端と床との高低差が、前部材４ａの左右両端と床との間の高低差よりも小さくなっている。これら下部枠体４の下面の下向き凸の形態により、椅子は、図２（Ａ）に一点鎖線で示すように、全体として左右にスイングさせる（傾動させる）ことができる。
【００３１】
後端部４ｂの左右中間部を、例えば数センチ〜十数センチに亙って水平状に形成してもよい。この場合は、後端部は全体として台形状になり、非使用状態での安定性は非常に高くなる。全体として湾曲させつつ、左右中間部を水平状に形成することも可能である。後端部の全体を水平状に形成することも可能である。
【００３２】
そして、下部枠体４の前部材４ａの曲がりの程度が後端部４ｂの曲がりの程度よりも急激であるため、スイングに際しての上下変位量は、前部材４ａが後端部４ｂよりも大きくなる。このため、座１は（或いは着座者は）、左右外側に移動（傾動）しつつ前方にも移動する動きをする。このため、人は、いわばいつでも足を床に寸張りできるように身構えたような状態でスイングすることができて、安定性を確保しつつダイナミックにスイングできる。また、前部材４ａが回動しきる前に後端部４ｂは回動しきってその端部が接地するため、スイングに際してガタンガタンといった動きはせずに、スムースな動きを実現できる利点もある。
【００３３】
本実施形態では、下部枠体４に、スイングによって床が傷付くことを抑制するため、樹脂製の接地体８〜１０を設けている。すなわち、下部枠体４のうち前部材４ａの左右中間部に前部センター接地体８を設け、左右の前コーナー部に前部サイド接地体９を設け、後端部４ｂには平面視略Ｕ形のリア接地体１０を設けている（従って、本実施形態では、正確には、これら接地体８〜１０が接地部を構成しているといえる。）。これらの接地体８〜１０は、下方から挿通したビスで下部枠体４に固定されている。このため、接地体８〜１０には、ビスの頭が入り込む座繰り穴を空けている。なお、接地体８〜１０の代わりにゴムのような軟質材を設けると、床の傷付き抑制効果を向上できる。
【００３４】
以上の構成において、着座者が身体を左右に揺らすと、椅子はこれに追従して左右に傾くため、椅子を振動具として使用して、リラックスしたり緊張をほぐして血行を促進させたりすることができる。両足を下部枠体４の前部材４ａに載せると、スイングをダイナミックに行うことができるが、支柱５は後傾しているため、着座者が下部枠体４の前部材４ａに足を載せても足が支柱５に当たることはなくて、使い勝手がよい。
【００３５】
本実施形態のように、下部枠体４の後端部４ｂ（後ろ接地部、リア接地体１０）を平面視略Ｕ形に形成すると、床との接地長さを長くできるため、スイングの動きをスムース化できる。また、後端部４ｂが回動しきった状態で、当該後端部４ｂは前後方向にある程度の長さを持った状態で床に当接するため、スイングしきった状態での安定性にも優れている。
【００３６】
そして、座１の上面は下方に凹んでいて着座者の身体がフィットするため、僅かの重心の移動によって座１が傾くことはない。従って、作業や執務を行うにおいて、着座者は、無意識に足に力を掛けることなく、力を抜いた自然な状態で正しい姿勢を採ることができて、凝りや疲れを防止できる。
【００３７】
他方、例えば気分転換などのために意識的にスイングする場合も、座１が身体にフィットしているため、身体がダイナミックに動いても座１から振り落とされるような傾向を呈することはなくて、スイング運動を安心して行うことができる。更に、見た目においてもフィット性を把握できて違和感なく使用できるため、作業用や学習用などに幅広く使用できる。
【００３８】
さて、椅子は机（テーブル）とセットで使用されることが多く、使用後に、床の掃除を行いやすくすることなどを目的にして、椅子を裏返して机上面に載せることが行われている。本実施形態の椅子も裏返して机上面に載せることは可能であるが、裏返すのは作業が面倒である。また、下部枠体４を手で持つと、手が汚れることもなる。更に、机上面には人が手を付いたり物を載せたりするため、椅子の着座面が机上面に載ることを嫌う人も想定される。
【００３９】
この点、実施形態では、脚２は側面視で後ろ向きに開口したコ字形になっているため、図１（Ｃ）一点鎖線示すように、持ち上げてそのまま天板１１に載せる（ハンギングする）ことができる。このため、作業が楽であるのみならず、人の手が汚れることもない。更に、座１の上面が机上面に載ることを嫌に人にとっても、不愉快な思いをさせることはない。なお、図１（Ｃ）では、天板１１は図面では水平に対して傾斜した状態に描かれているが、実際には、天板１１は水平姿勢に配置されている。
【００４０】
本実施形態では、座１の前部は支柱５の上端から手前にはみ出しているため、椅子の前後逆向きにして、座１の前部を天板１１にハンギングすることも可能である。また、座１の前部は支柱５の上端は座１の前端から手前に張り出しているため、座１の後部に作用するモーメントの抑制にも貢献して、支持強度の向上にも貢献できる。
【００４１】
(2).他の実施形態
次に、他の実施形態を説明する。図４に示す第２実施形態では、第１実施形態とほぼ同じ構造（長溝穴３は備えていない）の椅子において、座１の後端部（或いは、脚２における上部枠体６の後端部）に、人が手先を差し込んで掴むことができるベルト１２を設けている。このようにベルト１２を設けると、ベルト１２を掴んで椅子を持ち上げできるため、椅子の移動を片手で行えて便利である。
【００４２】
（Ａ）に一点鎖線鎖線で示すように、座１にクッション１３を設けることも可能である。座１の後ろには左右横長の空間１ｂが空いているが、クッション１３を設ける場合は、空間１ｂはクッション１３で塞がれる。敢えて述べることもないが、クッション１３には表紙材が張られている。
【００４３】
図５（Ｃ）（Ｄ）では、第１実施形態（及び第２実施形態）の変形例である第３実施形態を示している。（Ａ）（Ｂ）は第１実施形態の下部の背面図及び側面図であり、（Ｃ）（Ｄ）は第３実施形態の下部の背面図及び側面図であるが、これらの対比から理解できるように、第３実施形態は、下部枠体４の後端部４ｂ（リア接地体１０）の背面視での湾曲の程度を第１実施形態よりも大きくしており、また、側面視では、下部枠体４の後端部４ｂ（リア接地体１０）は、下向き凹状（或いは上側に反るように）に緩く湾曲している。
【００４４】
第３実施形態では、下部枠体４の後端部４ｂ（リア接地体１０）は、側面視で上側に反るように湾曲しているが、これは、下部枠体４の後端部４ｂ（リア接地体１０）が平面視でＵ形に曲がっていることと関連しており、展開した状態でみると、下部枠体４の後端部４ｂ（リア接地体１０）は、左右中間部から端に向かってほぼ等しい角度で高くなっている。
【００４５】
このため、スイングに際して、下部枠体４の後端部４ｂ（リア接地体１０）が床との当接位置を点接触状態で移動させていくにおいて、床との当接位置の移動がごくスムースになる。また、後端部４ｂ（リア接地体１０）の最大高さ（Ｈ）が第１実施形態の場合よりも大きくなるため、前部材４ａ（前部サイド接地体９）の高低差との差Ｅは、第１実施形態の場合よりも小さくなっており、従って、椅子がスイングしきるに際して、下部枠体４の後端部４ｂ（リア接地体１０）が回動しきってから、前部材４ａ（前部サイド接地体９）が回動しきる動きへの移行がごく滑らかであり、このため、スイング全体の動きをごく滑らかなものとすることができる。この点、本実施形態の大きな特徴である。なお、下部枠体４の後端部４ｂ（リア接地体１０）は、平面視で前向き凹状に緩く湾曲させた（弓形に反らせた）形態であってもよい。
【００４６】
図６（Ａ）に示す第４実施形態では、第１実施形態と同じ構造に加えて、脚２に、床に接地するフラットなベース１４を設けておいる。従って、脚２は、床に載る固定部としてのベース１４と、左右にスイング可能な可動部とから成っており、下部枠体４の左右中間部と後端部の左右中間部が、バンドなどの連結具１５により、ベース１４にスイング可能に連結されている。この実施形態では、スイングによって床を傷つけることがない。
【００４７】
バンド１５を弾性（収縮性）のあるもので作ると、スイングによってバンド１５が弾性変形するため、バンド１５がスイングを戻すような作用をして、戻り速度を速めるように作用すると言える。この場合、人が勢いをつけて大きくスイングすると、バンド１５がスイングを助長するように作用し、スイングの勢いを弱めると、バンド１５がスイングの動きを弱めるように作用するといえる。従って、いわば、メリハリの利いた動きを実現できるといえる。
【００４８】
ベース１４は単なる板状になっているが、一点鎖線で示すように、上下に開口したフレーム状に形成することも可能である。また、スイングに際して使用者本人の足が下部枠体４と床との間に挟まれることを防止するため、図５（Ｂ）に変形例として示すように、下部枠体４を覆うカバー１６を設けてもよい（カバー１６には、支柱５を露出させる穴が空いている。）。この場合、カバー１６を透明な樹脂で製造すると、スイング可能であることを視認できる。
【００４９】
本願発明は、上記の各実施形態の他にも様々に具体化できる。例えば、脚の接地部（下端部）は、上下に開口していない板状に形成することも可能である。脚を上下に開口して筒状に形成して、下面を正面で凸形に形成することなども可能である。脚は、接地体を使用せずに床に直接載置してもよい。
【００５０】
更に、使用者の身長差に対応させるため、支柱を伸縮式に構成して、座の高さを調節可能とすることも可能である。具体的には、ガスシリンダ等よりなる伸縮式脚支柱で座を支持し、脚支柱は、下面を凸状に形成したベース脚に取り付けることが考えられる。図示した下部枠体４に左右一対のＸリンクを回動可能に連結し、Ｘリンクで座を支持することも可能である（この場合は、Ｘリンクは，角度調節可能な状態で下部枠体と座とに連結する必要がある。）。
【産業上の利用可能性】
【００５１】
本願発明は、実際に椅子に具体化できる。従って、産業上利用できる。
【符号の説明】
【００５２】
１  座
１ａ  上面
２  脚
４  脚を構成する下部枠体
４ａ  前部材（前接地部）
４ｂ  下部枠体の後端部（後ろ接地部）
５  脚を構成する支柱
６  脚を構成する上部枠体
７  ブラケット
８〜１０  接地体（接地部）
１４  ベース体
【図１】
2018187313.tif 000003
【図２】
2018187313.tif 000004
【図３】
2018187313.tif 000005
【図４】
2018187313.tif 000006
【図５】
2018187313.tif 000007
【図６】
2018187313.tif 000008
【図７】
2018187313.tif 000009